【手続補正書】
【提出日】令和2年3月10日(2020.3.10)
【手続補正１】
【補正対象書類名】特許請求の範囲
【補正対象項目名】全文
【補正方法】変更
【補正の内容】
【特許請求の範囲】
【請求項１】
水塊内の波の動きを抽出する浮き具を備えるタイプの波エネルギー変換ブイの動力取出しシステムであって、その動力取出しシステムは、
螺旋溝を内部に有するスクリューシャフトと、
前記スクリューシャフトの溝に合致する内側螺旋溝を有し、前記スクリューシャフトと機械的に協働するような前記スクリューシャフト上のナットと、
前記スクリューシャフト及び前記ナットのうちの一方に接続される駆動装置であって、その駆動装置は前記浮き具によって抽出される波の動きを受けるように連結されるようになっている駆動装置と、
前記スクリューシャフト及び前記ナットのうちの他方に接続される結合具であって、その結合具は前記他方の回転運動を発電機に伝達されるように連結されている結合具と、
を備え、
前記駆動装置が受けた力は、前記スクリューシャフト及び前記ナットのうちの前記一方を移動させるとともに前記スクリューシャフト及び前記ナットのうちの前記他方を回転させ、前記回転運動は前記結合具を介して前記発電機に伝達される動力取出しシステム。
【請求項２】
前記駆動装置は、前記ナットに接続され、前記駆動装置が受けた力は、前記ナットを前記スクリューシャフトに沿って移動させて前記スクリューシャフトを回転させる、請求項１に記載の動力取出しシステム。
【請求項３】
前記スクリューシャフト及び前記ナットの前記溝内で、前記ナットと前記スクリューシャフトとの間に捕捉される複数の玉軸受を更に備え、前記玉軸受は、前記ナットと前記スクリューシャフトとの間に転がり接触面を形成する、請求項１に記載の動力取出しシステム。
【請求項４】
前記動力取出しシステムは前記スクリューシャフトが回転運動するように取り付けられるシャーシを備え、
前記駆動装置は、
前記スクリューシャフトに対してほぼ平行に線形運動するように前記シャーシに取り付けられるとともに前記ナットに固定されるキャリッジと、
前記キャリッジに固定される第１の端部と前記浮き具によって抽出される波の動きを受けるように連結されるように構築されている第２の端部とを有する入力シャフトと、を備え、
前記結合具は前記シャーシに取り付けられ、
前記発電機は前記結合具を介して前記シャーシに取り付けられている請求項２に記載の動力取出しシステム。
【請求項５】
前記ナット及び前記スクリューシャフトの前記溝内で、前記ナットと前記スクリューシャフトとの間に捕捉される複数の玉軸受を更に備え、前記複数の玉軸受は、前記ナットと前記スクリューシャフトとの間に転がり接触面を形成する、請求項４に記載の動力取出しシステム。
【請求項６】
前記駆動装置は前記スクリューシャフトと同心の駆動管を備え、前記駆動管は前記ナットに固定される第１の端部と、前記浮き具によって抽出される波の動きを受けるように連結されるように構築されている第２の端部とを有する、請求項１に記載の動力取出しシステム。
【請求項７】
前記ナット及び前記スクリューシャフトの前記溝内で、前記ナットと前記スクリューシャフトとの間に捕捉される複数の玉軸受を更に備え、前記複数の玉軸受は、前記ナットと前記スクリューシャフトとの間に転がり接触面を形成する、請求項６に記載の動力取出しシステム。
【請求項８】
前記駆動管は少なくともいずれか一方の端部がシールされ、前記スクリューシャフトに対する摩擦を小さくするように内側が整えられている、請求項６に記載の動力取出しシステム。
【請求項９】
前記スクリューシャフトの軸に対してほぼ垂直な２つの直交軸の周りに回転運動するように前記動力取出しシステムを取り付ける手段を更に備え、それにより、前記駆動管は、自動調心して、前記波の動きをほぼ軸方向に受ける、請求項６に記載の動力取出しシステム。
【請求項１０】
前記取り付ける手段は２軸ジンバルであり、軸受手段が、前記スクリューシャフトを前記２軸ジンバルにおいて回転するように取り付ける、請求項９に記載の動力取出しシステム。
【請求項１１】
前記結合具は、前記２軸ジンバルに取り付けられ、前記動力取出しシステムは、前記結合具を介して前記２軸ジンバルに取り付けられる発電機を更に備える、請求項１０に記載の動力取出しシステム。
【請求項１２】
浮き具及びスパーを備える波エネルギー変換ブイにおける、前記スパー内にある、請求項１に記載の動力取出しシステム。
【請求項１３】
水塊内の波の動きを抽出するスパー及び浮き具を備えるタイプの波エネルギー変換ブイの動力取出しシステムの効率を向上させる方法であって、その方法は、
螺旋溝を有するスクリューシャフトを設けるステップと、
前記スクリューシャフトの溝と合致するとともに前記スクリューシャフトの溝と機械的に協働する内側螺旋溝を有するナットを、前記スクリューシャフト上に設けるステップと、
前記スクリューシャフトと前記ナットとのうちの一方に接続される駆動装置を設けるステップであって、前記駆動装置は、前記浮き具によって抽出される波の動きを受けるように連結されるステップと、
前記スクリューシャフト及び前記ナットのうちの他方に接続される結合具を設けるステップであって、前記結合具は、前記他方の回転運動を発電機に提供するステップと、を備え、
前記駆動装置が受けた力は、前記スクリューシャフト及び前記ナットのうちの前記一方を線形運動させるとともに前記スクリューシャフト及び前記ナットのうちの前記他方を回転させ、前記回転運動は前記結合具を介して前記発電機に伝達される、方法。
【請求項１４】
前記駆動装置は、前記ナットに接続され、前記駆動装置が受けた力は、前記ナットを前記スクリューシャフトに沿って移動させて前記スクリューシャフトを回転させる、請求項１３に記載の方法。
【請求項１５】
前記ナット及び前記スクリューシャフトの前記溝内で、前記ナットと前記スクリューシャフトとの間に捕捉される複数の玉軸受を設けることであって、前記玉軸受は、前記ナットと前記スクリューシャフトとの間に転がり接触面を形成することを更に有する請求項１３に記載の方法。
【請求項１６】
前記方法は、前記スクリューシャフトが回転運動するように取り付けられているシャーシを設けるステップを備え、
前記駆動装置は、
前記スクリューシャフトに対してほぼ平行に線形運動するように前記シャーシに取り付けられるとともに前記ナットに固定されるキャリッジと、
前記キャリッジに固定される第１の端部と、前記浮き具によって抽出される波の動きを受けるように連結されるように構築されている第２の端部とを有する入力シャフトと、
を備え、前記方法は、さらに
前記結合具を前記シャーシに取り付けるステップと、
前記結合具を介して前記発電機を前記シャーシに取り付けるステップと、
を更に有する請求項１３に記載の方法。
【請求項１７】
前記ナット及び前記スクリューシャフトの前記溝内で、前記ナットと前記スクリューシャフトとの間に捕捉される複数の玉軸受を設けることであって、前記玉軸受は、前記ナットと前記スクリューシャフトとの間に転がり接触面を形成することを更に含む、請求項１６に記載の方法。
【請求項１８】
前記駆動装置は、前記スクリューシャフトと同心の駆動管を備え、前記駆動管は、前記ナットに固定される第１の端部と、前記浮き具によって抽出される波の動きを受ける第２の端部とを有する、請求項１３に記載の方法。
【請求項１９】
前記ナット及び前記スクリューシャフトの前記溝内で、前記ナットと前記スクリューシャフトとの間に捕捉される複数の玉軸受を設けることであって、前記玉軸受は、前記ナットと前記スクリューシャフトとの間に転がり接触面を形成することを更に有する請求項１８に記載の方法。
【請求項２０】
前記駆動管は少なくともいずれか一方の端部がシールされるとともに、前記スクリューシャフトに与える摩擦を小さくするように内側が整えられている、請求項１８に記載の方法。
【請求項２１】
前記スクリューシャフトの軸にほぼ垂直な２つの直交軸の周りに回転運動するように前記動力取出しシステムを取り付ける手段を設けることであって、それにより、前記駆動管は、前記波の動きをほぼ軸方向に受けるように自動調心することを更に含む、請求項１８に記載の方法。
【請求項２２】
前記取り付ける手段は２軸ジンバルであり、前記スクリューシャフトを前記２軸ジンバルにおいて回転するように取り付ける軸受手段が設けられる、請求項２１に記載の方法。